(57)【要約】【課題】比較的少ない数の点光源で、光ムラ（輝度差）を伴うことなく良好な表示を行えるようにする。【解決手段】バックライト方式の液晶表示ユニット（表示装置）において、複数のＬＥＤ素子１２と、所定の表示面２２ａをもつＬＣＤ素子２０と、ＬＣＤ素子２０の素子本体２２とＬＥＤ素子１２との間に介在し、ＬＥＤ素子１２からの光を拡散させながらＬＣＤ素子２０の素子本体２２側に透過させる光拡散板３０とを備える。複数のＬＥＤ素子１２は、表示面２２ａのほぼ中間の位置に縦一列に並ぶように配置されており、光拡散板３０は、ＬＣＤ素子２０の表示面２２ａに投光される光の光量が、当該表示面２２ａ内でほぼ均一になるようにその厚みが幅方向に変化する形状を有する。【選択図】図２
2012146452.tif 000002
【特許請求の範囲】
【請求項１】
バックライト方式の表示装置において、
同一の光照射方向にそれぞれ光を照射する複数の点光源と、
所定の表示面を有し、かつ、この表示面が前記点光源側とは反対側に位置するように前記光照射方向における前記点光源の前方に配置される表示部材と、
この表示部材と前記点光源との間に介在し、前記点光源から照射される光を拡散させながら前記表示部材側に透過させる光拡散板と、を備え、
前記複数の点光源は、前記光照射方向と直交する光源配列方向に配列されており、
前記光拡散板は、光の透過率が一定の場合に比べて前記表示面に投光される光の光量が当該表示面内で均一になるように、前記光源配列方向における光の透過率が等しくかつ当該光源配列方向と直交する方向に沿って光の透過率が変化するものであることを特徴とする表示装置。
【請求項２】
請求項１に記載の表示装置において、
前記光拡散板は、前記点光源に対向する位置で光の透過率が最も低く、この位置から前記光源配列方向と直交する方向に沿って外側に向かうに伴い光の透過率が高くなるものであることを特徴とする表示装置。
【請求項３】
請求項２に記載の表示装置において、
前記表示面は、前記光源配列方向と直交する方向の寸法が当該光源配列方向の寸法よりも長い矩形状をなし、
前記点光源は、前記表示面の長手方向中間部に位置し、
前記光拡散板は、前記表示面の長手方向中間部で光の透過率が最も低くなるものであることを特徴とする表示装置。
【請求項４】
請求項２又は３に記載の表示装置において、
前記光拡散板は、前記光源配列方向と直交する方向における一定の領域であって前記表示面の中間部を含む領域内で光の透過率が変化し、当該領域よりも外側の位置で光の透過率が一定であることを特徴とする表示装置。
【請求項５】
請求項１乃至４の何れか一項に記載の表示装置において、
前記光拡散板は、前記光源配列方向と直交する方向に沿ってその厚みが変化する断面形状を有することにより光の透過率が変化するものであることを特徴とする表示装置。
【請求項６】
請求項１乃至４の何れか一項に記載の表示装置において、
前記光拡散板は、前記点光源からの光を拡散させる拡散部とこの拡散部に対して前記光照射方向に連続しかつ前記拡散部よりも光の透過率が高い導光部とを含んだ一定厚みを有するものであり、前記光照射方向における前記拡散部と前記導光部との割合が前記光源配列方向と直交する方向に変化するように形成されることにより光の透過率が変化するものであることを特徴とする表示装置。
【発明の詳細な説明】
【技術分野】
【０００１】
本発明は、ＬＣＤ（Liquid Crystal Display）素子等の表示部材を有する表示装置に関し、特にＬＣＤ等の背面側から照明を与えるバックライト方式の表示装置に関するものである。
【背景技術】
【０００２】
バックライト方式の表示装置として、例えば特許文献１に記載されるものが知られている。この文献１に記載される表示装置は、ＬＥＤ等の点光源が実装された基板と、この基板（点光源）の前方に配置される光拡散板と、この光拡散板の出光面側に配置される表示部材とを備え、前記点光源からの光を光拡散板で拡散させながら表示部材に対してその表示面とは反対側（背面側）から投光することにより当該表示面を照明する。
【０００３】
この表示装置では、点光源からの光を上記のように光拡散板で拡散しながら表示部材に投光することにより表示面内に光ムラ（輝度差）が生じることを抑制する。
【先行技術文献】
【特許文献】
【０００４】
【特許文献１】特開平５−２４１５２１号公報
【発明の概要】
【発明が解決しようとする課題】
【０００５】
従来の表示装置では、通常、光拡散板として一定板厚を有しかつ光透過率が全体に亘って一定のものが使用されている。このような光拡散板を備えた上記従来の表示装置では、光源から離れた位置ほど光量が低くなるため、光ムラの発生をより確実に抑制するために、表示面とほぼ同じ面積の範囲内に多数の光源をマトリクス状に配置することが行われている。このような構成では、表示面の面積が大きくなると、光ムラの発生を抑制するために光源を密に配置する必要があり、必要な光源の数が増える。そのため、表示装置の低廉化を図る上では、この点に改善の余地がある。
【０００６】
本発明は、このような事情に鑑みて成されたものであり、バックライト方式の表示装置において、少ない数の点光源で、光ムラ（輝度差）を伴うことなく良好な表示を行うことができる表示装置を提供することを目的とする。
【課題を解決するための手段】
【０００７】
上記目的を達成するための手段として、出願人は、表示部材の表示面に対して比較的疎な状態で複数の点光源がマトリクス状に並ぶように当該点光源を配置した上で、前記表示面に投光される光の光量が前記表示面内でほぼ均一になるように光拡散板の板厚に変化をもたせる（光の透過率に変化をもたせる）ことを考えた。しかし、この場合には、マトリクス状に配置された点光源に対応して、表示面に沿った互いに直交する二方向に光拡散板の板厚を複雑に変化させる必要があり、光拡散板の形状が複雑になりその設計が著しく困難なものになるおそれがある。
【０００８】
このような課題は、以下のような本発明により解決される。すなわち、本発明のバックライト方式の表示装置は、同一の光照射方向にそれぞれ光を照射する複数の点光源と、所定の表示面を有し、かつ、この表示面が前記点光源側とは反対側に位置するように前記光照射方向における前記点光源の前方に配置される表示部材と、この表示部材と前記点光源との間に介在し、前記点光源から照射される光を拡散させながら前記表示部材側に透過させる光拡散板と、を備え、前記複数の点光源は、前記光照射方向と直交する光源配列方向に配列されており、前記光拡散板は、光の透過率が一定の場合に比べて前記表示面に投光される光の光量が当該表示面内で均一になるように、前記光源配列方向における光の透過率が等しくかつ当該光源配列方向と直交する方向に沿って光の透過率が変化するものである。
【０００９】
この表示装置によれば、光源配列方向に沿って並んだ複数の点光源から照射される光を光拡散板により拡散させながら均一光量の照明を表示面に与えるため、マトリクス状に点光源を配列する場合に比べて少ない数の点光源で光ムラ（輝度差）を伴うことなく良好な表示を行うことが可能となる。しかも、この表示装置によれば、複数の点光源を所定の光源配列方向に沿って配置した上で、この光源配列方向と直交する一方向にのみ光の透過率が変化するように光拡散板を設計すればよいため、マトリクス状に点光源を配列する場合、つまり当該表示面に沿った互いに直交する二方向に光の透過率が変化するように光拡散板を設計する場合に比べると光拡散板の設計も容易なものとなる。
【００１０】
より具体的には、前記光拡散板は、前記点光源に対向する位置で光の透過率が最も低く、この位置から前記光源配列方向と直交する方向に沿って外側に向かうに伴い光の透過率が高くなるものである。
【００１１】
すなわち、点光源からの光の光量は、当該光源の位置から記光源配列方向と直交する方向に沿って離れるに伴い減少する。従って、上記のように、点光源の位置では光の透過率が最も低く、記光源配列方向と直交する方向に沿って外側に向かうに伴い光の透過率が高くなる光拡散板を用いることで、光拡散板を透過して表示面に投光される光の光量が当該表面内においてほぼ均一になる。
【００１２】
なお、前記表示面は、前記光源配列方向と直交する方向の寸法が当該光源配列方向の寸法よりも長い矩形状をなし、前記点光源は、前記表示面の長手方向中間部に位置し、前記光拡散板は、前記表示面の長手方向中間部で光の透過率が最も低くなるものである。
【００１３】
この構成によれば、矩形の表示面の全体を、その長手方向の中間位置に配置した点光源だけで良好に照明することが可能となる。
【００１４】
なお、光拡散板は、透過光量を均一化する上では、光の透過率が最も低い位置、つまり点光源に対向する位置を基準として当該位置から前記光源配列方向と直交する方向に沿って外側に向かうに伴い前記透過率が連続して徐々に高くなるものであるのが理想的である。しかし、表示面のうち光ムラが発生し易いのは主に点光源の近傍である。従って、前記光拡散板は、前記光源配列方向と直交する方向における一定の領域であって前記表示面の中間部を含む領域内で光の透過率が変化し、当該領域よりも外側の位置で光の透過率が一定のものであってもよい。
【００１５】
このような構成の場合も、光源配列方向と直交する方向の全体に亘って光の透過率が連続して徐々に変化する光拡散板を用いる場合と遜色ないレベルで表示面を良好に照明することが可能となる。
【００１６】
なお、上記のような表示装置において、光の透過率を前記光源配列方向と直交する方向に沿って変化させる光拡散板の構成としては、次のようなものが好適である。
【００１７】
すなわち、前記光拡散板は、前記光源配列方向と直交する方向に沿ってその厚みが変化する断面形状を有することにより光の透過率が変化するものである。また、前記光拡散板は、前記点光源からの光を拡散させる拡散部とこの拡散部に対して前記光照射方向に連続しかつ前記拡散部よりも光の透過率が高い導光部とを含んだ一定厚みを有するものであり、前記光照射方向における前記拡散部と前記導光部との割合が前記光源配列方向と直交する方向に変化するように形成されることにより光の透過率が変化するものであってもよい。
【００１８】
これらの構成によれば、光拡散板において、表示面に投光される光の光量が当該表示面内でほぼ均一になるように光の透過率を変化させることが可能となる。特に、後者の構成によれば、光拡散板の厚みが一定であるため、表示装置の製造段階において部品としての光拡散板を複数枚重ねた状態で保管、搬送できる等、取扱性が良くなる。
【発明の効果】
【００１９】
以上のような本発明の表示装置によれば、バックライト方式の表示装置において、表示面の面積に対して比較的少ない数の点光源で、光ムラ（輝度差）を伴うことなく良好な表示を行えるようになる。
【図面の簡単な説明】
【００２０】
【図１】本発明に係る表示装置を示す斜視図である。
【図２】表示装置を示す分解斜視図である。
【図３】表示装置を示す正面図である。
【図４】表示装置を示す断面図（図３のＩＶ−ＩＶ線断面図）である。
【図５】光拡散板を示す斜視図である。
【図６】一定板厚の光拡散板を使用して出光面の輝度測定を行った結果（測定位置と輝度との関係）を示す図である。
【図７】図６の測定結果に基づき、出光面の輝度が一定になるように光拡散板の厚みを求めた結果（幅方向の位置とその位置の板厚との関係）を示す図である。
【図８】光拡散板の変形例を示す断面図である。
【発明を実施するための形態】
【００２１】
以下、添付図面を参照しながら本発明の好ましい実施の一形態について詳述する。
【００２２】
図１〜図４は、本発明にかかる表示装置である液晶表示ユニットを示しており、図１は組立状態の斜視図で、図２は分解斜視図で、図３は正面図で、図４は組立状態の断面図でそれぞれ液晶表示ユニットを示している。この液晶表示ユニットは、車両に搭載されるエアコン操作装置に組込まれるものであり、より詳しくは、当該エアコン操作装置の操作に応じてエアコンの運転モード、車室内外の温度の表示を行うものである。
【００２３】
この液晶表示ユニットは、いわゆるバックライト方式の液晶表示ユニットであり、所定の導電回路及びＬＥＤ素子１２を備えた回路基板１０と、運転モード等を表示するＬＣＤ素子２０と、ＬＣＤ素子２０に照射する光を拡散させる光拡散板３０と、ＬＣＤ素子２０および光拡散板３０を基板上に保持するための表示素子用ホルダ４０とを備える。
【００２４】
回路基板１０は、縦方向（図３の上下方向；本発明の光源配列方向に相当する）に対して横方向（図３の左右方向；光源配列方向と直交する方向）が長い長方形の基板である。この回路基板１０は、バックライト光源となる前記ＬＥＤ素子１２を備えている。当例では、回路基板１０は、縦方向に所定間隔で並ぶ２つのＬＥＤ素子１２を備えている。
【００２５】
これらＬＥＤ素子１２は、回路基板１０に実装されることにより当該回路基板１０に固定されており、回路基板１０の法線方向（本発明の光照射方向に相当する）に光を照射する。
【００２６】
そして、このＬＥＤ素子１２の光の照射方向前方にＬＣＤ素子２０及び光拡散板３０が配置され、これらＬＣＤ素子２０等が表示素子用ホルダ４０に保持された状態で前記回路基板１０に固定されている。詳しくは、ＬＣＤ素子２０の表示面２２ａの幅方向中間位置にＬＥＤ素子１２が位置するようにＬＥＤ素子１２等が回路基板１０に固定されている。
【００２７】
前記ＬＣＤ素子２０は、回路基板１０と同様に縦方向よりも幅方向が長い長方形状の表示面２２ａを有する板状の素子本体２２（本発明の表示部材に相当する）と、この素子本体２２の幅方向中央部に設けられる複数の端子２４とを備える。各端子２４は、素子本体２２の一辺に沿って並び、かつ、前記表示面２２ａとは反対側に向かって互いに平行に延びる。なお、前記回路基板１０は、前記端子２４に対応する複数の端子孔１４（スルーホール）を備えており、前記各端子２４は、これら端子孔１４にそれぞれ挿入された状態で回路基板１０の前記導電回路に半田付けされている。これにより前記ＬＣＤ素子２０が当該回路基板１０に実装されるとともに前記導電回路に電気的に接続されている。
【００２８】
前記光拡散板３０は、上記ＬＥＤ素子１２から投光される光を拡散させつつＬＣＤ素子２０の素子本体２２側に透過させるものであり、当該素子本体２２に近接する状態で当該素子本体２２と前記ＬＥＤ素子１２との間に介在している。
【００２９】
この光拡散板３０は、入光面３２ａ及び出光面３２ｂを備えかつ前記ＬＥＤ素子１２からの光を拡散させつつ透過させる拡散板本体３２と、その幅方向両端にそれぞれ設け設けられる係止爪３４とを備えており、これら拡散板本体３２と係止爪３４とが例えば乳白色のアクリルやポリカーボネート等の樹脂材料により一体に形成されている。
【００３０】
拡散板本体３２は、ＬＣＤ素子２０の表示面２２ａと同様に縦方向よりも幅方向が長い長方形状で、かつ、表示面２２ａとほぼ同じ大きさを有する。拡散板本体３２の出光面３２ｂはＬＣＤ素子２０の表示面２２ａと平行な平滑面であり、拡散板本体３２は、この出光面３２ｂを基準として、前記表示面２２ａに投光される光の光量が当該表示面２２ａ内においてほぼ均一になるようにその厚みが幅方向に沿って変化する形状を有する。具体的には、図４及び図５に示すように、光拡散板３０は、縦方向については板厚が等しく、幅方向については、ＬＣＤ素子２０の表示面２２ａの中間、すなわち前記ＬＥＤ素子１２に対向する位置で最大板厚を有し、この最大板厚を有する位置を含む幅方向の一定領域内で、最大板厚の位置から幅方向外側に向かうに伴い板厚が漸減し、当該領域よりも外側の位置で板厚が一定となるように形成されている。これにより拡散板本体３２は、出光面３２ｂが平坦で、入光面３２ａがその幅方向中間部分でＬＥＤ素子１２側に膨出した形状を有する。
【００３１】
すなわち、この液晶表示ユニットでは、幅方向にやや細長の表示面２２ａに対してその幅方向中間位置に縦一列に２つのＬＥＤ素子１２が並べられているため、表示面２２ａの縦方向については受光量の変化が殆どないが、幅方向についてはＬＥＤ素子１２から離間するに伴い受光量の低下が顕著となる。従って、上記のような形状の光拡散板３０によれば、ＬＥＤ素子１２の位置では光の透過率が最も低く、幅方向外側に向かうに伴い光の透過率が高くなるため、このような光拡散板３０がＬＣＤ素子２０の素子本体２２（表示面２２ａ）とＬＥＤ素子１２との間に介在することにより、一定板厚（光の透過率が一定）の光拡散板が介在する場合に比べて表示面２２ａに投光される光の光量が当該表面２２ａ内においてほぼ均一となる。
【００３２】
前記表示素子用ホルダ４０（以下、ホルダ４０と略す）は、ＬＣＤ素子２０の前記素子本体２２及び光拡散板３０を、これらと回路基板１０との間に一定間隔を隔てた状態で当該回路基板１０上に保持するものである。
【００３３】
ホルダ４０は、回路基板１０の法線方向、つまりＬＥＤ素子１２の光の照射方向に貫通する箱形の部材である。このホルダ４０は、図１及び図２に示すように、ＬＣＤ素子２０等と同様に縦方向よりも幅方向が長い正面視で長方形状を有し、全体が樹脂材料により形成されている。
【００３４】
ホルダ４０のうちその後側の端面は回路基板１０への固定部とされ、当該端面の対角線上に位置する２つの角部には、それぞれ凸部４４及び係止爪４６が形成されている。他方、前記回路基板１０には、これら凸部４４に対応する位置決め用の貫通孔１６と前記係止爪４４に対応する係止孔１８とが形成されており、凸部４４が貫通孔１６に挿入され、かつ、前記各係止爪４４が係止孔１６に挿入されて回路基板１０に係合することにより、ホルダ４０が当該回路基板１０に固定されている。そして、このようにホルダ４０が回路基板１０に固定されることにより、各ＬＥＤ素子１２がホルダ４０の内側に挿入されている。
【００３５】
ホルダ４０の前端部は、ＬＣＤ素子２０の素子本体２２を光拡散板３０とともに保持する素子保持部とされ、ここには、光拡散板３０を回路基板１０側から支持する拡散板支持部４８と、この拡散板支持部４８に支持される光拡散板３０の外周面に嵌合する周壁部５０と、拡散板３０よりも前側の位置でＬＣＤ素子２０の素子本体２２を回路基板１０側から支持する素子支持部５２と、この素子支持部５２に支持される素子本体２２の外周面に嵌合する複数の嵌合部５４と、素子本体２２をその表示面２２ａ側から係止する係止爪５６とが設けられている。そして、光拡散板３０が入光面３２ａ側から周壁部５０の内側に嵌入され、前記係止爪３４がホルダ４０の内側面に形成された係止孔４８ａにそれぞれ挿入されることにより光拡散板３０がホルダ４０に保持され、さらに、この光拡散板３０の出光面３２ｂに素子本体２２が重ねられた状態で当該素子本体２２が嵌合部５４の内側に嵌入され、かつ、当該素子本体２２が係止爪５６により係止されることにより、ＬＣＤ素子２０の素子本体２２が当該ホルダ４０により保持されている。
【００３６】
上記のような液晶表示ユニットでは、各ＬＥＤ素子１２からの光が光拡散板３０に照射され、当該光拡散板３０（拡散板本体３２）で拡散されつつＬＣＤ素子２０の素子本体２２に照射されるが、この液晶表示ユニットによれば、上記の通り、光拡散板３０からＬＣＤ素子２０の表示面２２ａにほぼ均一光量の光が投光されるため、光ムラ（輝度差）を伴うことなく良好な表示を行うことができる。
【００３７】
特に、この液晶表示ユニットでは、ＬＣＤ素子２０の表示面２２ａの幅方向中間の位置にのみＬＥＤ素子１２が縦一列に配置された上で、当該ＬＥＤ素子１２とＬＣＤ素子２０（素子本体２２）との間に、光拡散板３０として、当該ＬＣＤ素子２０に投光される光の光量が当該表示面２２ａ内においてほぼ均一になるように幅方向に拡散板本体３２の厚みが変化するものが配置され、これにより表示面２２ａにほぼ均一光量の光が投光されるように構成されているので、光ムラを抑制するために、表示面とほぼ同じ面積に多数の点光源をマトリクス状に配置する従来のこの種の表示装置と比較すると、同じ面積の表示面２２ａを少ない数のＬＥＤ素子１２で良好に照明することができる。従って、この液晶表示ユニットによれば、従来装置に比べてＬＥＤ素子１２の数を低減することが可能であり、これにより液晶表示ユニットの低廉化を図ることができる。
【００３８】
しかも、この液晶表示ユニットによれば、上記のような作用効果を奏しながらも光拡散板３０の設計負担を軽減することができるというメリットもある。すなわち、例えば表示面２２ａに対向して比較的疎な状態で複数のＬＥＤ素子１２をマトリクス状に配置した上で、表示面２２ａに投光される光の光量が当該表示面２２ａ内でほぼ均一になるように光拡散板３０の板厚に変化をもたせる（光の透過率に変化をもたせる）ことも考えられる。しかしこの場合、表示面２２ａ内の光量がほぼ均一になるように光拡散板３０の板厚に変化を持たせるとすれば、マトリックス状に配置されたＬＥＤ素子１２に対応させて光拡散板３０の板厚を表示面２２ａに沿って縦方向及び幅方向の二方向に複雑に変化させる必要があり、光拡散板３０の設計が著しく困難なものになるおそれがある。これに対して、上記実施形態の液晶表示ユニットによれば、縦方向については板厚が等しく幅方向にのみ板厚が変化するように光拡散板３０を設計すればよいため、マトリクス状にＬＥＤ素子１２を配列する場合に比べて光拡散板３０の設計が容易なものとなる。
【００３９】
なお、この液晶表示ユニットでは、ＬＥＤ素子１２の位置との関係で、ＬＣＤ素子２０に投光される光の光量が表示面２２ａ内においてほぼ均一になるように光拡散板３０（拡散板本体３２）の板厚を定めることがＬＣＤ素子２０を良好に表示させる上で重要となるが、このような板厚の決定は、例えば以下のような手順で行うことができる。
【００４０】
まず、回路基板１０の前方に、光拡散板として板厚が一定のもの（光透過率Ｔ）を配置し、出光面の輝度Ｌを光拡散板の幅方向（ＬＥＤ素子１２の並び方向と直交する方向）に亘って測定し（図６参照）、この実測値に基づき測定位置と輝度との関係式Ｌ＝ｆ（ｘ）を求める。ここで、出光面の幅方向両端の輝度ＬがＬＣＤ素子２０に求められる所望の輝度となるように、光拡散板の板厚を一定厚みｔだけ増やしたときの輝度Ｌを考えると、
【００４１】
【数１】
2012146452.tif 000003
【００４２】
となる。
【００４３】
従って、出光面の幅方向の任意の位置ｘでの輝度が一定値（Ｌ０）となる光拡散板の板厚をｔ（ｘ）とすると、当該板厚ｔ（ｘ）は、上記数１の対数をとって下記式の通りとなる。
【００４４】
【数２】
2012146452.tif 000004
【００４５】
この式を図示したものが図７（ｘ１はＬＥＤ素子１２の位置を示す）である。よって、出光面を平滑面とし、この出光面を基準として図７に示すように幅方向に板厚が変化する光拡散板を用いれば、ＬＥＤ素子１２から照射されてＬＣＤ素子２０の表示面２２ａに投光される光の光量を当該表面２２ａ内においてほぼ均一化することができる。
【００４６】
なお、光拡散板３０の出光面３２ｂからＬＣＤ素子２０の表示面２２ａに投光される光の光量を当該表面２２ａ内において均一にする上では、光拡散板３０は、図７に示すように、最大板厚の位置（ＬＥＤ素子１２の位置）から幅方向外側に向かうに伴い板厚が漸減するものであるのが理想的である。しかし、実用レベルでは、光拡散板３０はその板厚が階段状に漸減するようなものであっても差し支えない。
【００４７】
また、上記の実施形態では、光拡散板３０は、ＬＥＤ素子１２に対応する位置を含む一定領域内で板厚が変化し、当該領域よりも外側の位置で板厚が一定となるように形成されているが、これは、ＬＣＤ素子２０の表示面２２ａのうち主に光ムラ（輝度差）が発生し易いのがＬＥＤ素子１２の近傍位置であることを考慮したものである。つまり、光拡散板３０は、ＬＥＤ素子１２に対向する位置を含む一定の領域で図７に示すような板厚を有していれば、その外側の領域の板厚が一定であっても支障がなく、従って、このような形状の光拡散板３０であってもＬＣＤ素子２０の表示面２２ａに投光される光の光量を当該表面２２ａ内においてほぼ均一にすることができる。
【００４８】
また、上記実施形態の液晶表示ユニットにおいては、上記光拡散板３０の代わりに、図８（ａ）、（ｂ）に示すような光拡散板６０、６１を適用することもできる。同図は、光拡散板６０、６１のうち拡散板本体３２の部分のみを断面図で示している。図中の矢印は、ＬＥＤ素子１２から照射される光を示している。
【００４９】
図８（ａ）に示す光拡散板６０は拡散板本体３２の板厚が一定のものである。この光拡散板６０の拡散板本体３２は、光透過率の異なる２種類の材料により二色成型されたもので、ＬＥＤ素子１２からの光を拡散させる拡散部６２と、この拡散部よりも光透過率の高い、例えば透明材料からなる導光部６４とを板厚方向に含んでいる。この拡散板本体３２は、前記表示面２２ａに投光される光の光量が当該表示面２２ａ内においてほぼ均一になるように、厚み方向における拡散部６２と導光部６４との割合が拡散板本体３２の幅方向に変化する。具体的には、同図に示すように、ＬＣＤ素子２０の表示面２２ａのほぼ中間位置、すなわちＬＥＤ素子１２に対向する位置で拡散部６２の割合が最大となり、この位置を含む幅方向の一定領域内で、当該位置から幅方向外側に向かうに伴い拡散部６２の割合が漸減し、当該領域よりも外側の位置では拡散部６２の割合が一定となるように形成されている。つまり、この光拡散板６０（拡散板本体３２）によれば、ＬＥＤ素子１２の位置で光の透過率が最も低く、幅方向外側に向かうに伴い光の透過率が高くなる。従って、このような光拡散板６０も上記実施形態の光拡散板３０（図５参照）と同様に、ＬＥＤ素子１２から照射されて表示面２２ａに投光される光の光量を当該表面２２ａ内においてほぼ均一にすることができる。なお、図８（ｂ）に示す光拡散板６１は、図８（ａ）に示したもの変形例であり、厚み方向における拡散部６２と導光部６４との割合が幅方向に沿って階段状に変化するものである。
【００５０】
このような光拡散板６０、６１によれば、拡散板本体３２の板厚が一体であるため、液用表示ユニットの製造段階において部品としての光拡散板６０，６１を複数枚重ねた状態で保管、搬送できる等、取扱性が良いという利点がある。
【００５１】
なお、上述した液晶表示ユニットは、本発明にかかる表示装置の好ましい実施形態の例示であって、液晶表示ユニットの具体的な構成やこれに含まれる光拡散板３０、６０，６１等の具体的な構成は本発明の要旨を逸脱しない範囲で適宜変更可能である。
【符号の説明】
【００５２】
１０  回路基板
１２  ＬＥＤ素子（点光源）
１４  端子孔
２０  ＬＣＤ素子（表示部材）
２２  素子本体
２２ａ  表示面
２４  端子
３０  光拡散板
３２  拡散板本体
３４  係止爪
【図１】
2012146452.tif 000005
【図２】
2012146452.tif 000006
【図３】
2012146452.tif 000007
【図４】
2012146452.tif 000008
【図５】
2012146452.tif 000009
【図６】
2012146452.tif 000010
【図７】
2012146452.tif 000011
【図８】
2012146452.tif 000012